(57)【要約】【課題】容易にデータ共有を行うことができる情報処理システム及び情報処理方法を提供する。【解決手段】端末装置２０は、第１画像を表示する表示部２０６と、第１画像を送信する画像送信部２０２とを具備する。ドアホン親機１３は、第１画像を撮影し第２画像を取得する撮影部３０１と、撮影部３０１により取得された第２画像を送信する画像送信部３０２とを具備する。サーバ１０は、取得した第１画像又は第２画像に対応するデータ格納位置を示す固有情報を生成する固有情報生成部１０２と、固有情報と対応付けられた第１画像又は第２画像を記憶する記憶部１０６と、取得した第１画像と一致する第２画像又は取得した第２画像と一致する第１画像を記憶部１９６から抽出したときに第１端末装置と第２端末装置とを固有情報に関連付けるペアリング部１０５とを具備する。【選択図】図３
2017175224.tif 000002
【特許請求の範囲】
【請求項１】
第１画像を表示する表示部と、前記第１画像を送信する第１画像送信部とを備えた第１端末装置と；
前記第１画像を撮影し第２画像を取得する撮影部と、撮影部により取得された前記第２画像を送信する第２画像送信部とを備えた第２端末装置と；
取得した前記第１画像又は前記第２画像に対応するデータ格納位置を示す固有情報を生成する固有情報生成部と、前記固有情報と対応付けられた前記第１画像又は前記第２画像を記憶する記憶部と、取得した前記第１画像と一致する前記第２画像又は取得した前記第２画像と一致する前記第１画像を前記記憶部から抽出したときに前記第１端末装置と前記第２端末装置とを前記固有情報に関連付ける対応決定部とを備えたデータ管理装置と；
を具備したことを特徴とする情報処理システム。
【請求項２】
前記データ管理装置は、
前記第１端末装置及び前記第２端末装置から取得したそれぞれの認証情報と前記固有情報とを関連付ける認証情報管理部と、
認証情報を受信して、受信した認証情報が前記認証情報管理部により前記固有情報に関連付けられた認証情報に含まれる場合、前記認証情報の送信元に許可通知を発行する認証部と；
をさらに具備することを特徴とする請求項１に記載の情報処理システム。
【請求項３】
前記第１端末装置及び前記第２端末装置は、
前記固有情報を前記対応決定部から取得する固有情報取得部を備え、
前記第１端末装置及び前記第２端末装置の一方は、
自装置の認証情報を送信した応答として前記許可通知を前記認証部から取得した場合、前記固有情報が示すデータ格納位置に対してデータの書き込みを行うデータ書込部を具備し、
前記第１端末装置及び前記第２端末装置の他方は、
自装置の認証情報を送信した応答として前記許可通知を前記認証部から取得した場合、前記固有情報が示すデータ格納位置からデータを読み出すデータ読出部を具備した
ことを特徴とする請求項２に記載の情報処理システム。
【請求項４】
前記データ管理装置は、
前記固有情報で示されるデータ格納位置に格納されるデータの一覧を生成する一覧生成部をさらに具備し、
前記データ読出部は、データの読出指示を受けた場合、前記一覧生成部からデータの一覧を取得して操作者に選択可能に提供し、前記データの一覧の中から選択されたデータを前記データ格納位置から読み込む
ことを特徴とする請求項１〜３のいずれか一つに記載の情報処理システム。
【請求項５】
前記情報処理システムは、前記第１端末装置及び前記第２端末装置以外の少なくとも一以上の他の端末装置を具備し、
前記データ管理装置は、
前記固有情報を送信した端末装置の機器リストを生成するリスト生成部をさらに具備し、
前記対応決定部は、前記他の端末装置のいずれかから第３画像を取得し、前記第３画像と一致する前記第１画像が前記記憶部にある場合、前記第３画像と一致する前記第１画像に対応する前記固有情報を、前記第３画像を取得した端末装置へ送信し、
前記第２端末装置は、前記リスト生成部により生成された前記機器リストの第１取得及び第２取得を行い、前記第１取得した機器リストと前記第２取得した機器リストとを比較し、増加した端末装置がある場合、端末装置の増加を通知する増加検出部をさらに具備する
ことを特徴とする請求項１〜４のいずれか一つに記載の情報処理システム。
【請求項６】
前記第２端末装置は、ドアホン装置であることを特徴とする請求項１〜５のいずれか一つに記載の情報処理システム。
【請求項７】
前記第１端末装置は、ドアホン装置であることを特徴とする請求項１〜５のいずれか一つに記載の情報処理システム。
【請求項８】
データ管理装置、第１端末装置及び第２端末装置を具備する情報処理システムにおける情報処理方法であって、
前記データ管理装置に、
前記第１端末装置からの前記第１画像の取得又は前記第２端末装置からの前記第２画像の取得の何れかの画像取得を行わせ、データ格納位置を示す固有情報を生成させ、
前記固有情報と対応付けられた前記第１画像又は前記第２画像を記憶させ、
前記画像取得した前記第１画像と一致する前記第２画像又は前記画像取得した前記第２画像と一致する前記第１画像を前記記憶部から抽出したときに、前記第１端末装置と前記第２端末装置との前記固有情報への関連付けを行わせる
ことを特徴とする情報処理方法。
【発明の詳細な説明】
【技術分野】
【０００１】
本発明の実施形態は、情報処理システム及び情報処理方法に関する。
【背景技術】
【０００２】
近年、宅内の電子機器（以下、「宅内機器」という。）がインターネットに接続されるようになり、スマートフォンやタブレットなどの端末装置などから宅内機器にアクセスできる環境が増えてきている。一例として、利用者が、屋外から端末装置を用いて宅内機器を利用する機器制御システムが知られている。例えば、サービス提供者の管理装置が、管理装置に保持されたネットワーク機器の操作画面を操作端末に送信し、利用者が操作端末上の操作画面を用いて宅内のネットワーク機器を操作する技術が提案されている。
【０００３】
このような宅内機器のインターネットへの接続の技術の一つとして、ドアホンのインターネットへの接続が提案されている。ドアホンは、宅外の玄関に配置されるドアホン子機と、宅内に配置されてドアホン子機と通話可能なドアホン親機とを備える。居住者は、ドアホン子機に備えたカメラで撮影された訪問者の映像をドアホン親機のモニタで確認し、訪問者と通話する。例えば、訪問客がドアホン子機を用いて来訪を通知した場合に、居住者が外出しておりドアホン親機にて応答ができないことが考えられる。そのような場合に、ドアホンへ送られたデータをインターネットを介してスマートフォンなどの端末装置に送信し、居住者が端末装置にて応答するシステムなどが提案されている。
【０００４】
さらに、近年インターネットを介したデータ共有サービスの需要が高まりつつある。インターネットを介してデータ共有サービスを利用する場合、利用者は、ネットワークの設定やアカウントの作成などを行う。
【先行技術文献】
【特許文献】
【０００５】
【特許文献１】特開２０１２−１８２５４２号公報
【発明の概要】
【発明が解決しようとする課題】
【０００６】
しかしながら、ネットワークの設定やアカウントの作成などは、それらに関する知識を有することが前提となる。そのため、お年寄りなどのコンピュータが苦手な者が、ネットワークの設定やアカウントの作成を行うことは困難である。このようなことから、ネットワークなどの知識を有さない者は、データ共有サービスを利用することが難しくなってしまっている。
【０００７】
本発明が解決しようとする課題は、容易にデータ共有を行うことができる情報処理システム及び情報処理方法を提供することである。
【課題を解決するための手段】
【０００８】
実施形態に係る情報処理システム及び情報処理方法の一つの態様において、第１端末装置は、第１画像を表示する表示部と、前記第１画像を送信する第１画像送信部とを具備する。第２端末装置は、前記第１画像を撮影し第２画像を取得する撮影部と、撮影部により取得された前記第２画像を送信する第２画像送信部とを具備する。データ管理装置は、取得した前記第１画像又は前記第２画像に対応するデータ格納位置を示す固有情報を生成する固有情報生成部と、前記固有情報と対応付けられた前記第１画像又は前記第２画像を記憶する記憶部と、取得した前記第１画像と一致する前記第２画像又は取得した前記第２画像と一致する前記第１画像を前記記憶部から抽出したときに前記第１端末装置と前記第２端末装置とを前記固有情報に関連付ける対応決定部とを具備する。
【図面の簡単な説明】
【０００９】
【図１】図１は、実施形態に係るドアホンシステムの概略構成図である。
【図２】図２は、ホームゲートウェイを介してサーバと通信を行うドアホンシステムの概略構成図である。
【図３】図３は、サーバのブロック図である。
【図４】図４は、端末装置のブロック図である。
【図５】図５は、ドアホン親機のブロック図である。
【図６】図６は、ドアホンシステムによるペアリング処理のシーケンス図である。
【図７】図７は、データの追加処理のシーケンス図である。
【図８】図８は、データ取得処理のシーケンス図である。
【図９】図９は、ペアリング機器の定期的な更新処理のシーケンス図である。
【発明を実施するための形態】
【００１０】
以下で説明する実施形態に係るドアホンシステム１は、サーバ１０と、端末装置２０と、ドアホン親機１３とを具備する。端末装置２０は、画像送信部２０２と、表示部２０６とを具備する。表示部２０６は、第１画像を表示する。画像送信部２０２は、第１画像を送信する。ドアホン親機１３は、撮影部３０１と、画像送信部３０２とを具備する。撮影部３０１は、第１画像を撮影し第２画像を取得する。画像送信部３０２は、撮影部３０１により取得された第２画像を送信する。サーバ１０は、固有情報生成部１０２と、ペアリング部１０５と、記憶部１０６とを具備する。固有情報生成部１０２は、取得した第１画像又は第２画像に対応するデータ格納位置を示す固有情報を生成する。記憶部１０６は、固有情報と対応付けられた第１画像又は第２画像を記憶する。ペアリング部１０５は、取得した第１画像と一致する第２画像又は取得した第２画像と一致する第１画像を記憶部１９６から抽出したときに第１端末装置と第２端末装置とを固有情報に関連付ける。
【００１１】
また、以下に説明する実施形態に係るサーバ１０は、機器リスト管理部１０３と、認証部１０８とを具備する。機器リスト管理部１０３は、第１端末装置及び第２端末装置から取得したそれぞれの認証情報と固有情報とを関連付ける。認証部１０８は、認証情報を受信して、受信した認証情報が機器リスト管理部１０３により前記固有情報に関連付けられた認証情報に含まれる場合、認証情報の送信元に許可通知を発行する。
【００１２】
端末装置２０及びドアホン親機１３は、固有情報取得部２０５又は３０５を具備する。固有情報取得部２０５及び３０５は、固有情報をペアリング部１０５から取得する。また、端末装置２０又はドアホン親機１３の一方は、データ書込み部２０８又は３０８を具備する。データ書込部２０８及び３０８は、自装置の認証情報を送信した応答として許可通知を認証部１０８から取得した場合、固有情報が示すデータ格納位置に対してデータの書き込みを行う。また、端末装置２０又はドアホン親機１３の他方は、データ読出部２０９又は３０９を具備する。データ読出部２０９及び３０９は、自装置の認証情報を送信した応答として許可通知を認証部１０８から取得した場合、固有情報が示すデータ格納位置からデータを読み出す。
【００１３】
また、以下に説明する実施形態に係るサーバ１０は、固有情報で示されるデータ格納位置に格納されるデータの一覧を生成する一覧生成部１０７をさらに具備する。データ読出部３１１は、データの読出指示を受けた場合、一覧生成部１０７からデータの一覧を取得して操作者に選択可能に提供し、データの一覧の中から選択されたデータをデータ格納位置から読み込む。
【００１４】
また、以下に説明する実施形態に係る情報処理システム１は、端末装置２０及びドアホン親機１３以外の少なくとも一以上の他の端末装置を具備する。サーバ１０は、固有情報を送信した端末装置の機器リストを生成する機器リスト管理部１０３をさらに具備する。ペアリング部１０５は、他の端末装置のいずれかから第３画像を取得し、第３画像と一致する第１画像が記憶部１０６にある場合、第３画像と一致する第１画像に対応する固有情報を第３画像を取得した他の端末装置へ送信する。ドアホン親機１３は、機器リスト管理部１０３により生成された機器リストの第１取得及び第２取得を行い、第１取得した機器リストと第２取得した機器リストとを比較し、増加した端末装置がある場合、端末装置の増加を通知する追加機器検出部３１０をさらに具備する。
【００１５】
また、以下に説明する実施形態に係る第２端末装置は、ドアホン装置である。
【００１６】
また、以下に説明する実施形態に係る第１端末装置は、ドアホン装置である。
【００１７】
また、以下に説明する実施形態に係るサーバ１０、端末装置２０及びドアホン親機１３を具備する情報処理システム１における情報処理方法は、端末装置２０に、第１画像を生成させ、生成した第１画像をサーバ１０へ送信させる。次に、サーバ１０に、端末装置２０から第１画像を取得させ、データ格納位置を示す第１画像に対応する固有情報を生成させ、端末装置２０へ送信させ、さらに第１画像を記憶させる。次に、端末装置２０に、サーバ１０が送信した第１画像に対応する固有情報を受信させ、固有情報が示すデータ格納位置に対してデータの書き込みを行わせる。次に、端末装置２０に、第１画像を表示させる。次に、ドアホン親機１３に、端末装置２０により表示された第１画像を撮影させて第２画像を取得させ、取得した第２画像をサーバ１０に送信させる。次に、サーバ１０に、ドアホン親機１３から第２画像を取得させ、第２画像と一致する第１画像を抽出させ、抽出された第１画像に対応する固有情報をドアホン親機１３へ送信させる。次に、ドアホン親機１３に、第２画像と一致する第１画像に対応する固有情報をサーバ１０から取得させ、固有情報が示すデータ格納位置からデータを読み込ませる。
【００１８】
以下、図面を参照して、実施形態に係る情報処理システム及び情報処理方法を説明する。実施形態において同一の部位には同一の符号を付し、重複する説明は省略される。
【００１９】
（第１の実施形態）
まず、図１〜９を参照して、第１の実施形態に係る情報処理システム及び情報処理方法について説明する。以下では、情報処理システムとして、一方の端末装置がドアホン装置であるドアホンシステムを例に説明するが、同様の機能を有する端末装置を具備する情報処理システムであればこれに限らない。
【００２０】
図１は、実施形態に係るドアホンシステムの概略構成図である。ドアホンシステム１は、インターネット１１に接続されるサーバ１０及び端末装置２０を有する。また、ドアホンシステム１は、ドアホン親機１３及びドアホン子機１４を有する。ドアホン親機１３及びドアホン子機１４は、住宅２に設置される。ドアホン親機１３及びドアホン子機１４を含む装置が、ドアホン装置の一例である。
【００２１】
ドアホン親機１３は、ドアホン子機１４に接続される。また、ドアホン親機１３は、モニタ１３１、応答ボタン１３２及び図示しないスピーカー及びマイクを有する。さらに、ドアホン親機１３は、インターネット１１を介してサーバ１０に接続する。図１のように、ドアホン親機１３がインターネット１１に直接接続してサーバ１０と通信をする構成を、以下では、ドアホン親機１３がサーバ１０と直接通信する構成という。
【００２２】
ドアホン親機１３が、サーバ１０と直接通信する場合、通信プロトコルとしては、例えば、ＨＴＴＰ（Hyper  Text  Transfer  Protocol）やＨＴＴＰＳ（Hyper  Text  Transfer  Protocol  Secure）が用いられる。
【００２３】
ここで、本実施形態では、ドアホン親機１３がサーバ１０と直接通信する場合で説明したが、これに限らず、ドアホン親機１３は、ホームゲートウェイを介してサーバ１０と通信してもよい。図２は、ホームゲートウェイを介してサーバと通信を行うドアホンシステムの概略構成図である。
【００２４】
ホームゲートウェイ１２は、インターネット１１に接続される。ホームゲートウェイ１２は、ドアホン親機１３を含む住宅２に設置された電子機器をインターネット１１に接続するためのゲートウェイである。ホームゲートウェイ１２は、ドアホン親機１３との通信とサーバ１０との通信との間で、適切なプロトコル変換を行う。
【００２５】
ドアホン親機１３は、ホームゲートウェイ１２を介してインターネット１１に接続する。これにより、ドアホン親機１３は、インターネット１１を介してサーバ１０と通信が行える。この場合、ドアホン親機１３とホームゲートウェイ１２との間の通信プロトコルとしては、例えば、ＥＣＨＯＮＥＴ  Ｌｉｔｅ（登録商標）が用いられる。また、ホームゲートウェイ１２とサーバ１０との間の通信プロトコルとしては、ＨＴＴＰが用いられる。
【００２６】
また、端末装置２０は、インターネット１１を介して、サーバ１０と通信を行うコンピュータである。端末装置２０は、移動可能であり、住宅２の中にあってもよいし、住宅２以外の場所にあってもよい。
【００２７】
［ドアホンシステムの住宅への来客時の機能］
ドアホン親機１３は来訪した客がドアホン子機１４を操作した場合、来客通知を、ドアホン子機１４から受信する。来客通知を受信した場合、ドアホン親機１３は、チャイムなどの予め決められた来客通知用の音声をスピーカーから出力させる。これにより、ドアホン親機１３は、在宅者に来客を報知する。さらに、ドアホン親機１３は、ドアホン子機１４のカメラ（不図示）により撮影された画像をドアホン子機１４から受信する。そして、ドアホン親機１３は、受信した画像をモニタ１３１に映す。これにより、ドアホン親機１３は、どのような人が訪問してきたのかをドアホン親機１３の操作者に提供する。
【００２８】
操作者は、モニタ１３１に映された画像を確認し、応答する場合、応答ボタン１３２を押下する。ドアホン親機１３は、応答ボタン１３２が押下された場合、ドアホン子機１４のマイク及びスピーカーをドアホン親機１３のマイク及びスピーカーに接続し、ドアホン親機１３の操作者とドアホン子機１４の操作者とが通話できるようにする。
【００２９】
ドアホン子機１４は、呼出ボタン１４１を有する。また、ドアホン子機１４は、図示しないマイク及びスピーカーを有する。
【００３０】
住宅２を訪問した客は、ドアホン子機１４の呼出ボタン１４１を押下し、在宅者に訪問を通知する。ドアホン子機１４は、呼出ボタン１４１が押下されると、来客通知をドアホン親機１３へ通知する。その後、ドアホン親機１３の応答ボタン１３２が押下されることで、ドアホン子機１４のマイク及びスピーカーがドアホン親機１３のマイク及びスピーカーに接続され、客はドアホン子機１４を用いて、ドアホン親機１３の操作者と通話することができる。
【００３１】
［ドアホンシステムのペアリング機能］
次に、ドアホン親機１３及び端末装置２０をペアリングするペアリング機能及びペアリングされた機器によるデータ共有について説明する。機器とは、ドアホン親機１３及び端末装置２０を含むペアリングの対象となる情報処理装置である。ペアリングとは、データ共有において、共有するデータを取り扱う許可を与えられた機器をグループ化することである。以下では、ペアリングされた機器を「ペアリング機器」と言い、ペアリングにより生成される複数のペアリング機器が属するグループを「ペアリンググループ」という。ドアホン親機１３及び端末装置２０のいずれも、ペアリングについて同じ機能を有する。そこで、以下では、端末装置２０がペアリングのための認証用画像を提供し、ドアホン親機１３が提供した認証用画像を用いてペアリングを行う場合を例にペアリング機能について説明するが、ドアホン親機１３がペアリングのための認証画像を提供し、端末装置２０が提供した認証画像を用いてペアリングを行ってもよい。また、端末装置２０がデータを書き込みし、ドアホン親機１３が登録されたデータを読み出す場合でデータ共有の機能について説明する。
【００３２】
図３は、サーバのブロック図である。このサーバ１０が、「データ管理装置」の一例にあたる。図３に示すように、サーバ１０は、画像取得部１０１、固有情報生成部１０２、機器リスト管理部１０３、データ格納部１０４、ペアリング部１０５、記憶部１０６、一覧生成部１０７及び認証部１０８を有する。ここで、ドアホン親機１３及び端末装置２０とサーバ１０とは、実際には図１に示すように、インターネット１１を介して通信を行うが、図３では説明を分かり易くするために、インターネット１１を省略している。
【００３３】
データ格納部１０４及び記憶部１０６は、ハードディスクなどの記憶装置である。本実施形態では、データ格納部１０４と記憶部１０６とは別の機能部として説明するが、実際には同じハードディスクの中の異なる領域を用いてもよい。また、データ格納部１０４は、ストレージや他のサーバといった、サーバ１０以外の他の装置に配置されてもよい。例えば、データ格納部１０４は、一般的なデータ共有サービスで提供される場所に配置されてもよい。
【００３４】
画像取得部１０１は、登録要求とともに登録用の認証用画像を端末装置２０から受信する。この時、画像取得部１０１は、端末装置２０の識別情報も受信する。そして、画像取得部１０１は、受信した認証用画像及び端末装置２０の識別情報を固有情報生成部１０２へ出力する。
【００３５】
また、画像取得部１０１は、ペアリング要求とともにペアリングを行うための認証用画像をドアホン親機１３から受信する。この時、画像取得部１０１は、ドアホン親機１３の識別情報も受信する。ドアホン親機１３の識別情報は、ドアホン親機１３の通信インタフェースに割り当てられたＭＡＣアドレスやＩＰｖ６（Internet  Protocol  Version  6）アドレスなどである。そして、画像取得部１０１は、受信した認証用画像及びドアホン親機１３の識別情報をペアリング部１０５へ出力する。
【００３６】
固有情報生成部１０２は、登録用の認証用画像及び端末装置２０の識別情報の入力を画像取得部１０１から受ける。そして、固有情報生成部１０２は、取得した認証用画像に対応する格納領域をデータ格納部１０４に作成する。さらに、固有情報生成部１０２は、データ格納部１０４に作成した格納領域を示す固有ＵＲＬ（Uniform  Resource  Locator）を、受信した認証用画像に対応する一意の固有情報として生成する。
【００３７】
次に、固有情報生成部１０２は、登録用の認証用画像と生成した固有ＵＲＬとを対応させて、記憶部１０６に記憶させる。また、固有情報生成部１０２は、生成した固有ＵＲＬを端末装置２０へ送信する。さらに、固有情報生成部１０２は、固有ＵＲＬに対応させて端末装置２０の識別情報を機器リスト管理部１０３へ送信する。
【００３８】
ここでは、端末装置２０とドアホン親機１３とのペアリングについて説明するが、サーバ１０は、他のペアリングも管理する。そこで、固有情報生成部１０２は、１つのペアリングに１つの固有ＵＲＬが対応するように固有ＵＲＬを生成する。これにより、固有ＵＲＬを基に、ペアリングが特定される。
【００３９】
ペアリング部１０５は、ペアリングを行うための認証用画像及びドアホン親機１３の識別情報を画像取得部１０１から受信する。そして、ペアリング部１０５は、受信した認証用画像を用いて記憶部１０６を検索し、受信した認証用画像と一致する認証用画像が記憶部１０６に記憶されているか否かを判定する。
【００４０】
受信した認証用画像に一致する認証用画像が記憶部１０６に記憶されていた場合、ペアリング部１０５は、対応する固有ＵＲＬを記憶部１０６から取得する。そして、ペアリング部１０５は、取得した固有ＵＲＬをドアホン親機１３へ送信する。さらに、ペアリング部１０５は、固有ＵＲＬに対応させてドアホン親機１３の識別情報を機器リスト管理部１０３へ出力する。
【００４１】
機器リスト管理部１０３は、固有ＵＲＬ及びその固有ＵＲＬに対応する端末装置２０の識別情報の入力を固有情報生成部１０２から受ける。そして、機器リスト管理部１０３は、固有ＵＲＬと端末装置２０の識別情報とが対応づけられて登録された機器リストを作成し記憶部１０６に記憶させる。
【００４２】
また、機器リスト管理部１０３は、固有ＵＲＬ及びその固有ＵＲＬに対応するドアホン親機１３の識別情報の入力をペアリング部１０５から受ける。そして、機器リスト管理部１０３は、取得した固有ＵＲＬに対応させてドアホン親機１３の識別情報を記憶部１０６に記憶されている機器リストに登録する。この端末装置２０及びドアホン１３の各識別情報が「認証情報」の一例にあたる。
【００４３】
さらに、機器リスト管理部１０３は、一定期間毎に機器リストの取得要求を固有ＵＲＬとともにドアホン親機１３から受信する。次に、機器リスト管理部１０３は、受信した固有ＵＲＬに対応する機器リストを記憶部１０６から取得する。そして、機器リスト管理部１０３は、取得した機器リストをドアホン親機１３へ送信する。
【００４４】
認証部１０８は、端末装置２０の識別情報を用いた認証要求とともに固有ＵＲＬを端末装置２０から受信する。次に、認証部１０８は、受信した固有ＵＲＬに対応する機器リストを記憶部１０６から取得する。そして、認証部１０８は、取得した機器リストに端末装置２０の識別情報が登録されているか否かを判定する。
【００４５】
取得した機器リストに端末装置２０の識別情報が登録されていない場合、認証部１０８は、認証失敗と判定する。そして、認証部１０８は、認証失敗の通知を端末装置２０へ送信する。これに対して、取得した機器リストに端末装置２０の識別情報が登録されている場合、認証部１０８は、認証成功と判定する。そして、認証部１０８は、認証成功の通知を端末装置２０へ送信し、データ格納部１０４内の固有ＵＲＬで示される格納領域へのアクセスを端末装置２０に許可する。
【００４６】
同様に、認証部１０８は、ドアホン親機１３の識別情報を用いた認証要求とともに固有ＵＲＬをドアホン親機１３から受信する。次に、認証部１０８は、受信した固有ＵＲＬに対応する機器リストを記憶部１０６から取得する。そして、認証部１０８は、取得した機器リストにドアホン親機１３の識別情報が登録されているか否かを判定する。
【００４７】
取得した機器リストにドアホン親機１３の識別情報が登録されていない場合、認証部１０８は、認証失敗と判定する。そして、認証部１０８は、認証失敗の通知をドアホン親機１３へ送信する。これに対して、取得した機器リストにドアホン親機１３の識別情報が登録されている場合、認証部１０８は、認証成功と判定する。そして、認証部１０８は、認証成功の通知をドアホン親機１３へ送信し、データ格納部１０４内の固有ＵＲＬで示される格納領域へのアクセスをドアホン親機１３に許可する。
【００４８】
データ格納部１０４は、認証が成功した端末装置２０からデータ書込要求を受信する。そして、データ格納部１０４は、受信したデータにデータＩＤ（Identifier）を付加して格納する。また、データ格納部１０４は、認証が成功したドアホン親機１３からデータ読出要求を受信する。そして、データ格納部１０４は、データ読出要求で指定されたデータをドアホン親機１３へ送信する。
【００４９】
一覧生成部１０７は、格納されているデータのデータ一覧取得要求を固有ＵＲＬとともに、認証が成功したドアホン親機１３から受信する。そして、一覧生成部１０７は、受信した固有ＵＲＬで示される格納領域に格納されたデータ及びそのデータＩＤをデータ格納部１０４から取得する。次に、一覧生成部１０７は、取得したデータのサムネイルを作成する。その後、一覧生成部１０７は、作成したサムネイル及びデータＩＤを用いて、固有ＵＲＬで示される格納領域に格納されたデータのデータ一覧を作成する。そして、一覧生成部１０７は、生成したデータ一覧をドアホン親機１３へ送信する。
【００５０】
図４は、端末装置のブロック図である。この端末装置２０が、「第１端末装置」の一例にあたる。端末装置２０は、図４に示すように、撮影部２０１、画像送信部２０２、画像生成部２０３、記憶部２０４、固有情報取得部２０５、表示部２０６、表示制御部２０７、データ書込部２０８、データ読出部２０９及び追加機器検出部２１０を有する。
【００５１】
撮影部２０１は、カメラを有する撮影装置である。撮影部２０１は、後述するドアホン親機１３の撮影部３０１と同様の機能を有する。ここでは、ペアリング機能における画像の撮影はドアホン親機１３が行う場合で説明するので、撮影部２０１の機能は後述する撮影部３０１において説明する。
【００５２】
記憶部２０４は、ハードディスクなどの記憶装置である。また、表示部２０６は、タッチパネル機能を有するディスプレイである。
【００５３】
画像生成部２０３は、認証用画像生成指示の入力を表示制御部２０７から受ける。例えば、画像生成部２０３は、認証用画像としてＱＲコード（登録商標）を生成する。この他にも、認証用画像は一意に特定できるものであればよく、例えば、撮影部２０１を用いて撮影した画像や特定の模様であってもよい。そして、画像生成部２０３は、生成した認証用画像を記憶部２０４に記憶させる。また、画像生成部２０３は、生成した認証用画像を表示制御部２０７へ出力する。
【００５４】
画像送信部２０２は、認証用画像の登録開始指示の入力を表示制御部２０７から受ける。そして、画像送信部２０２は、記憶部２０４に記憶されている認証用画像を取得する。次に、画像送信部２０２は、取得した認証用画像を登録用の認証用画像として登録要求とともにサーバ１０の画像取得部１０１へ送信する。
【００５５】
固有情報取得部２０５は、画像送信部２０２が送信した認証用画像に対応する固有ＵＲＬをサーバ１０の固有情報生成部１０２から受信する。さらに、固有情報取得部２０５は、画像送信部２０２が送信した認証用画像を画像送信部２０２から取得する。そして、固有情報取得部２０５は、受信した固有情報を画像送信部２０２が送信した認証用画像に対応付けて記憶部２０４に記憶させる。
【００５６】
データ書込部２０８は、データ書込指示の入力を表示制御部２０７から受ける。そして、データ書込部２０８は、認証要求をサーバ１０の認証部１０８へ送信する。その後、認証が失敗した場合、データ書込部２０８は、認証失敗の通知を認証部１０８から受信する。その場合、データ書込部２０８は、データ書込処理を終了する。
【００５７】
これに対して、認証が成功した場合、データ書込部２０８は、認証成功の通知を認証部１０８から受信する。その場合、データ書込部２０８は、データ書込指示により指定されたデータをサーバ１０のデータ格納部１０４へ送信する。
【００５８】
データ読出部２０９は、サーバ１０のデータ格納部１０４からデータを読み出す。データ読出部２０９は、後述するドアホン親機１３のデータ読出部３０９と同様の機能を有する。ここでは、データ共有におけるデータの取得はドアホン親機１３が行う場合で説明するので、データ読出部２０９の機能は後述するデータ読出部３０９において説明する。
【００５９】
追加機器検出部２１０は、ペアリングされた機器、すなわち固有ＵＲＬに対応する機器が新たに追加された場合に、機器の増加を検出する。追加機器検出部２１０は、後述するドアホン親機１３の追加機器検出部３１０と同様の機能を有する。追加機器検出部２１０の機能は後述する追加機器検出部３１０においてまとめて説明する。
【００６０】
表示制御部２０７は、表示部２０６に対するデータの入出力を制御する。表示制御部２０７は、操作者による表示部２０６を用いたデータの入力を受ける。そして、表示制御部２０７は、入力された指示にしたがいデータを出力する。また、表示制御部２０７は、データの表示の指示を受けて、指定されたデータを表示部２０６に表示させる。具体的には、表示制御部２０７は、以下の処理を行う。また、表示制御部２０７は、後述するドアホン親機１３の表示制御部３０７が行う、ペアリング機能及びデータ共有機能に関する処理も同様に行う。
【００６１】
表示制御部２０７は、操作者による表示部２０６を用いた認証用画像生成指示の入力を受ける。そして、表示制御部２０７は、認証用画像生成指示を画像生成部２０３へ出力する。その後、表示制御部２０７は、認証用画像の入力を画像生成部２０３から受ける。そして、表示制御部２０７は、認証用画像を表示部２０６に表示させる。
【００６２】
また、表示制御部２０７は、操作者による表示部２０６を用いた登録指示の入力を受ける。そして、表示制御部２０７は、登録指示を画像送信部２０２へ出力する。
【００６３】
また、表示制御部２０７は、操作者による表示部２０６を用いたデータ書込指示の入力を受ける。そして、表示制御部２０７は、データ書込指示をデータ書込部２０８へ出力する。
【００６４】
図５は、ドアホン親機のブロック図である。このドアホン親機１３が、「第２端末装置」の一例にあたる。ドアホン親機１３は、図５に示すように、撮影部３０１、画像送信部３０２、画像生成部３０３、記憶部３０４、固有情報取得部３０５、表示部３０６、表示制御部３０７、データ書込部３０８、データ読出部３０９及び追加機器検出部３１０を有する。さらに、ドアホン親機１３は、音声制御部３１２及び音声出力部３１１を有する。
【００６５】
音声出力部３１１は、例えば、スピーカーである。また、表示部３０６は、タッチパネル機能付きディスプレイである。表示部３０６は、例えば、図１に示したモニタ１３１にあたる。これ以外に、表示部３０６は、表示画面と操作ボタンとを有するものでもよいし、ソフトウェアキーボードなどの任意の文字列が入力可能な機能を有していてもよい。さらに、記憶部３０４は、ハードディスクなどの記憶装置である。
【００６６】
撮影部３０１は、カメラを有する撮影装置である。撮影部３０１は、カメラ起動指示の入力を表示制御部３０７から受ける。そして、撮影部３０１は、カメラを起動する。本実施形態ではドアホン親機の機能として説明するが、ドアホン子機１４に設けられたカメラを用いてもよい。
【００６７】
また、撮影部３０１は、認証用画像が表示された表示部２０６の画面が撮影部３０１のカメラに写るように端末装置２０が配置された状態で、撮影部３０１は、撮影指示を表示制御部３０７から受ける。そして、撮影部３０１は、認証用画像が表示された端末装置２０の表示部２０６の画面を撮影し、認証用画像を取得する。その後、撮影部３０１は、取得した認証用画像を記憶部３０４に記憶させる。
【００６８】
画像送信部３０２は、認証用画像の指定とともにペアリング開始指示の入力を表示制御部３０７から受ける。次に、画像送信部３０２は、指定された認証用画像を記憶部３０４から取得する。そして、画像送信部３０２は、取得した認証用画像をペアリング要求とともにサーバ１０の画像取得部１０１へ送信する。また、画像送信部３０２は、送信した認証用画像を固有情報取得部３０５へ出力する。
【００６９】
固有情報取得部３０５は、画像送信部３０２が送信した認証用画像に対応する固有ＵＲＬをサーバ１０のペアリング部１０５から受信する。さらに、固有情報取得部３０５は、画像送信部３０２が送信した認証用画像を画像送信部３０２から取得する。そして、固有情報取得部３０５は、受信した固有情報を画像送信部３０２が送信した認証用画像に対応付けて記憶部３０４に記憶させる。
【００７０】
画像生成部３０３は、端末装置２０の画像生成部２０３と同様の機能を有する。ここでは、ドアホン親機１３が撮影した認証用画像を用いてペアリングを行う場合で説明するので、画像生成部３０３の説明を省略する。
【００７１】
データ書込部３０８は、端末装置２０のデータ書込部２０８と同様の機能を有する。ここでは、端末装置２０が書き込んだデータをドアホン親機１３で読み出す場合を説明するので、データ書込部３０８の説明を省略する。
【００７２】
データ読出部３０９は、データ取得指示の入力を表示制御部３０７から受ける。そして、データ読出部３０９は、認証要求をサーバ１０の認証部１０８へ送信する。その後、認証が失敗した場合、データ読出部３０９は、認証失敗の通知を認証部１０８から受信する。その場合、データ読出部３０９は、データ読出処理を終了する。
【００７３】
これに対して、認証が成功した場合、データ読出部３０９は、認証成功の通知を認証部１０８から受信する。その場合、データ読出部３０９は、固有ＵＲＬを記憶部２０４から取得する。そして、データ読出部３０９は、固有ＵＲＬとともにデータ一覧送信要求をサーバ１０の一覧生成部１０７へ送信する。その後、データ読出部３０９は、固有ＵＲＬに対応したデータ一覧を一覧生成部１０７から受信する。そして、データ読出部３０９は、受信したデータ一覧を表示制御部３０７へ出力する。この時、データ読出部３０９は、データ一覧に登録された各データを選択可能に表示するように表示制御部３０７に指示する。
【００７４】
その後、データ読出部３０９は、データ一覧に登録されたデータのうちの操作者に選択された取得データの情報の入力を表示制御部３０７から受ける。そして、データ読出部３０９は、指定された取得データの送信要求をサーバ１０のデータ格納部１０４へ送信する。その後、データ読出部３０９は、指定された取得データをサーバ１０のデータ格納部１０４から受信する。そして、データ読出部３０９は、受信した取得データを表示制御部３０７へ出力する。
【００７５】
追加機器検出部３１０は、サーバ１０の機器リスト管理部１０３により作成された機器リストに新たな機器の追加があるか否かの判定を定期的に行う。具体的には、追加機器検出部３１０は、タイマを有する。そして、追加機器検出部３１０は、前回の追加機器の判定処理から一定期間が経過したか否かをタイマを用いて判定する。一定期間が経過した場合、追加機器検出部３１０は、認証要求をサーバ１０の認証部１０８へ送信する。その後、認証が失敗した場合、追加機器検出部３１０は、認証失敗の通知を認証部１０８から受信する。その場合、追加機器検出部３１０は、追加機器の判定処理を終了する。
【００７６】
これに対して、認証が成功した場合、追加機器検出部３１０は、認証成功の通知を認証部１０８から受信する。その場合、追加機器検出部３１０は、固有ＵＲＬを記憶部３０４から取得する。そして、追加機器検出部３１０は、固有ＵＲＬとともに機器リスト送信要求をサーバ１０の機器リスト管理部１０３へ送信する。
【００７７】
その後、追加機器検出部２１０は、固有ＵＲＬに対応した機器リストを機器リスト管理部１０３から受信する。そして、追加機器検出部３１０は、前回取得した機器リストと今回取得した機器リストとを比較する。ここで、前回の機器リストの取得が「第１取得」の一例にあたり、今回の機器リストの取得が「第２取得」の一例にあたる。追加機器検出部３１０は、今回取得した機器リストに前回取得した機器リストに記載された機器に新たに追加された機器が登録されている場合、ペアリングされた機器が新たに追加されたことを示すペアリング機器更新通知を表示制御部３０７へ出力する。このペアリング機器更新通知には、新たに追加されたペアリング機器の情報が含まれてもよい。
【００７８】
さらに、機器リストに新たな機器が追加されている場合、追加機器検出部３１０は、固有ＵＲＬを記憶部３０４から取得する。そして、追加機器検出部３１０は、固有ＵＲＬとともにデータ一覧送信要求をサーバ１０の一覧生成部１０７へ送信する。その後、追加機器検出部３１０は、固有ＵＲＬに対応したデータ一覧を一覧生成部１０７から受信する。追加機器検出部３１０は、取得したデータ一覧を記憶する。そして、追加機器検出部３１０は、前回取得したデータ一覧と今回取得したデータ一覧とを比較し、新たにデータが追加されたか否かを判定する。新たにデータが追加されている場合、追加機器検出部３１０は、新たにデータが追加されたことを示すデータ更新通知を表示制御部３０７へ出力する。このデータ更新通知には、新たに追加されたデータの情報が含まれてもよい。
【００７９】
表示制御部３０７は、表示部３０６にデータを表示させる。また、表示制御部３０７は、表示部３０６を用いた操作者からの入力を受け、入力された情報を処理する。
【００８０】
例えば、操作者は、表示部３０６のタッチパネル機能を用いてカメラの起動指示を入力する。表示制御部３０７は、操作者からのカメラの起動指示を表示部３０６から受ける。そして、表示制御部３０７は、カメラの起動指示を撮影部３０１へ出力する。
【００８１】
その後、操作者は、認証用画像が表示された表示部２０６の画面が撮影部３０１のカメラに写るように端末装置２０を配置する。そして、操作者は、表示部３０６のタッチパネル機能を用いて撮影を指示する。表示制御部３０７は、認証用画像が表示された表示部２０６の画面が撮影部３０１のカメラに写るように端末装置２０が配置された状態で、操作者からの撮影指示を表示部３０６から受ける。そして、表示制御部３０７は、撮影指示を撮影部３０１へ出力する。その後、表示制御部３０７は、撮影された認証用画像の入力を撮影部３０１から受ける。そして、表示制御部３０７は、撮影された認証用画像を表示部３０６に表示させる。
【００８２】
その後、操作者は、表示部３０６に表示された認証用画像を確認し、その認証用画像の登録を表示部３０６のタッチパネル機能を用いて指示する。表示制御部３０７は、登録指示の入力を表示部３０６から受ける。そして、表示制御部３０７は、登録指示を画像送信部３０２へ出力する。
【００８３】
また、操作者は、データ取得指示を表示部３０６のタッチパネル機能を用いて入力する。表示制御部３０７は、データ取得指示の入力を表示部３０６から受ける。そして、表示制御部３０７は、データ取得指示をデータ読出部３０９へ出力する。
【００８４】
その後、表示制御部３０７は、受信したデータ一覧の入力をデータ読出部３０９から受ける。この時、表示制御部３０７は、データ一覧に登録された各データを選択可能に表示する指示をデータ読出部３０９から受ける。
【００８５】
そして、表示制御部３０７は、登録された各データが選択可能な状態で表示されたデータ一覧を表示部３０６に表示させる。操作者は、表示部３０６に表示されたデータ一覧の中から取得データを選択する。表示制御部３０７は、選択された取得データの情報の入力を表示部３０６から受ける。そして、表示制御部３０７は、取得データの読出指示をデータ読出部３０９へ出力する。
【００８６】
その後、表示制御部３０７は、取得データの入力をデータ読出部３０９から受ける。そして、表示制御部３０７は、取得データを表示部３０６に表示させて操作者に提供する。
【００８７】
また、表示制御部３０７は、追加機器検出部３１０が機器リストに記載された機器に新たに追加された機器が登録されていると判定した場合、ペアリングした機器の情報を含むペアリング機器更新通知の入力を追加機器検出部３１０から受ける。そして、表示制御部３０７は、ペアリング機器更新通知を表示部３０６に表示させ操作者に提供する。
【００８８】
さらに、追加機器検出部３１０により新たにデータが追加されたと判定された場合、表示制御部３０７は、データ更新通知の入力を追加機器検出部３１０から受ける。そして、表示制御部３０７は、データ更新通知を表示部３０６に表示させ操作者に提供する。
【００８９】
また、表示制御部３０７は、ドアホン子機１４を操作した来客を撮影した画像の入力をドアホン子機から受ける。そして、表示制御部３０７は、入力された画像を表示部３０６に表示させる。
【００９０】
音声制御部３１２は、ドアホン子機１４を操作した来客が発した音声の入力をドアホン子機１４から受ける。そして、音声制御部３１２は、入力された音声を音声出力部３１１から出力させる。音声出力部３１１は、例えばスピーカーである。
【００９１】
次に、図６を参照して、ドアホンシステムによるペアリング処理の流れについて説明する。図６は、ドアホンシステムによるペアリング処理のシーケンス図である。図６の縦軸は下に向かって時間が経過することを表す。また、各縦軸の上部に記載した名称が各縦軸における動作主体を表す。ここでは、操作者は、端末装置２０を持ってドアホン親機１３の側にいて、端末装置２０及びドアホン親機１３の双方を操作する。
【００９２】
操作者は、端末装置２０の表示部２０６を用いて認証用画像生成指示を端末装置２０に入力する（ステップＳ１０１）。
【００９３】
端末装置２０の画像生成部２０３は、表示制御部２０７を介して認証用画像生成の指示の入力を受ける。そして、画像生成部２０３は、認証用画像を生成する（ステップＳ１０２）。そして、画像生成部２０３は、生成した認証用画像を記憶部２０４に記憶させる。さらに、画像生成部２０３は、生成した認証用画像を表示制御部２０７へ出力する。
【００９４】
表示制御部２０７は、認証用画像の入力を画像生成部２０３から受ける。そして、表示制御部２０７は、取得した認証用画像を表示部２０６に表示させる（ステップＳ１０３）。
【００９５】
操作者は、ドアホン親機１３の表示部３０６を用いてカメラ起動指示をドアホン親機１３に入力する（ステップＳ１０４）。
【００９６】
ドアホン親機１３の撮影部３０１は、表示制御部３０７を介してカメラ起動指示の入力を受ける。そして、ドアホン親機１３は、カメラを起動する（ステップＳ１０５）。
【００９７】
操作者は、ドアホン親機１３のカメラの起動を確認する。次に、操作者は、表示部２０６に表示された認証用画像がドアホン親機１３の撮影部３０１のカメラに向くように端末装置２０を配置する。そして、操作者は、ドアホン親機１３の表示部３０６を用いて撮影指示をドアホン親機１３に入力する（ステップＳ１０６）。
【００９８】
ドアホン親機１３の撮影部３０１は、表示制御部３０７を介して撮影指示の入力を受ける。そして、撮影部３０１は、カメラに向けられた端末装置２０の表示部２０６に表示された認証用画像を撮影する（ステップＳ１０７）。ここで、図４における破線矢印Ｐは、端末装置２０の表示部２０６に表示された認証用画像がドアホン親機１３の撮影部３０１により撮影され、撮影部３０１が認証用画像を取得したことを表す。
【００９９】
次に、操作者は、端末装置２０の表示部２０６を用いて認証用画像の登録開始指示を端末装置２０に入力する（ステップＳ１０８）。
【０１００】
端末装置２０の画像送信部２０２は、表示制御部２０７を介して認証用画像の登録開始指示の入力を受ける。そして、画像送信部２０２は、認証用画像を記憶部２０４から取得する。次に、画像送信部２０２は、取得した認証用画像を登録要求とともにサーバ１０の画像取得部１０１へ送信する（ステップＳ１０９）。
【０１０１】
サーバ１０の画像取得部１０１は、登録要求とともに認証用画像を端末装置２０の画像送信部２０２から受信する。そして、画像取得部１０１は、受信した認証用画像を固有情報生成部１０２へ出力する。固有情報生成部１０２は、認証用画像の入力を画像取得部１０１から受ける。そして、取得した認証用画像に対応する格納領域をデータ格納部１０４に作成する。さらに、固有情報生成部１０２は、取得した認証用画像に対応する一意の固有情報として、データ格納部１０４内に作成した格納領域を表す固有ＵＲＬを生成する（ステップＳ１１０）。
【０１０２】
次に、固有情報生成部１０２は、生成した固有ＵＲＬ及び認証用画像を記憶部１０６に記憶させ保存する（ステップＳ１１１）。また、固有情報生成部１０２は、端末装置２０の識別情報と対応させて固有ＵＲＬを機器リスト管理部１０３へ出力する。
【０１０３】
さらに、固有情報生成部１０２は、生成した固有ＵＲＬを端末装置２０の固有情報取得部２０５へ送信し、端末装置２０に固有ＵＲＬを通知する（ステップＳ１１２）。端末装置２０の固有情報取得部２０５は、固有ＵＲＬをサーバ１０の固有情報生成部１０２から受信する。そして、固有情報取得部２０５は、受信した固有ＵＲＬを対応する認証用画像とともに記憶部２０４に記憶させる。
【０１０４】
続いて、操作者は、ドアホン親機１３の表示部３０６を用いてペアリングの開始指示をドアホン親機１３に入力する（ステップＳ１１３）。
【０１０５】
ドアホン親機１３の画像送信部３０２は、表示制御部３０７を介してペアリングの開始指示の入力を受ける。そして、画像送信部３０２は、認証用画像を記憶部３０４から取得する。次に、画像送信部３０２は、取得した認証用画像をペアリング要求とともにサーバ１０の画像取得部１０１へ送信する（ステップＳ１１４）。
【０１０６】
サーバ１０の画像取得部１０１は、ペアリング要求とともに認証用画像をドアホン親機１３の画像送信部３０２から受信する。そして、画像取得部１０１は、受信した認証用画像をペアリング部１０５へ出力する。ペアリング部１０５は、記憶部１０６において画像取得部１０１から入力された認証用画像と同一のデータを検索し、画像取得部１０１から入力された認証用画像に一致する認証用画像が記憶部１０６に記憶されているか判定する（ステップＳ１１５）。ここでは、画像取得部１０１から入力された認証用画像に一致する認証用画像が記憶部１０６に記憶されている場合で説明する。
【０１０７】
ペアリング部１０５は、画像取得部１０１から入力された認証用画像に一致する認証用画像に対応する固有ＵＲＬを記憶部１０６から取得する。そして、ペアリング部１０５は、取得した固有ＵＲＬをドアホン親機１３の固有情報取得部３０５へ送信し、ドアホン親機１３に固有ＵＲＬを通知する（ステップＳ１１６）。ドアホン親機１３の固有情報取得部３０５は、固有ＵＲＬをサーバ１０のペアリング部１０５から受信する。そして、固有情報取得部３０５は、受信した固有ＵＲＬを対応する認証用画像とともに記憶部３０４に記憶させる。また、ペアリング部１０５は、固有ＵＲＬに対応させてドアホン親機１３の識別情報を機器リスト管理部１０３へ送信する。
【０１０８】
機器リスト管理部１０３は、端末装置２０の識別情報とそれに対応する固有ＵＲＬの入力を固有情報生成部１０２から受ける。そして、機器リスト管理部１０３は、固有ＵＲＬに端末装置２０の識別情報を対応させた機器リストを作成する。さらに、機器リスト管理部１０３は、固有ＵＲＬとともにそれに対応するドアホン親機１３の識別情報の入力をペアリング部１０５から受ける。そして、機器リスト管理部１０３は、固有ＵＲＬに対応する機器としてドアホン親機１３の識別情報を加えて機器リストを作成する（ステップＳ１１７）。機器リスト管理部１０３は、作成した機器リストを記憶部１０６に記憶させる。
【０１０９】
次に、図７を参照して、データの書込処理の流れについて説明する。図７は、データの追加処理のシーケンス図である。
【０１１０】
操作者は、新規データを追加したい場合、端末装置２０の表示部２０６を用いてデータ書込指示を端末装置２０に入力する（ステップＳ２０１）。
【０１１１】
端末装置２０のデータ書込部２０８は、表示制御部２０７を介してデータ書込指示の入力を受ける。データ書込部２０８は、固有ＵＲＬを記憶部２０４から取得する。そして、データ書込部２０８は、固有ＵＲＬを用いた認証要求をサーバ１０の認証部１０８へ送信する（ステップＳ２０２）。
【０１１２】
サーバ１０の認証部１０８は、固有ＵＲＬを用いた認証要求をデータ書込部２０８から受信する。そして、認証部１０８は、受信した固有ＵＲＬに対応する機器リストを記憶部１０６から取得する。次に、認証部１０８は、取得した機器リストを検索し、端末装置２０の識別情報が登録されているか否かを判定する（ステップＳ２０３）。ここでは、機器リストに端末装置２０の識別情報が登録されている場合で説明する。
【０１１３】
認証部１０８は、認証成功通知を端末装置２０のデータ書込部２０８へ送信する（ステップＳ２０４）。
【０１１４】
データ書込部２０８は、認証成功通知を受信すると、追加する新規データとして指定されたデータをサーバ１０のデータ格納部１０４へ送信する（ステップＳ２０５）。
【０１１５】
サーバ１０のデータ格納部１０４は、データ書込部２０８から受信したデータにデータＩＤを付与する（ステップＳ２０６）。そして、データ格納部１０４は、データＩＤに対応させてデータを格納する（ステップＳ２０７）。
【０１１６】
そして、データ格納部１０４は、端末装置２０のデータ書込部２０８にデータ追加完了応答を送信する（ステップＳ２０８）。データ書込部２０８は、データ追加完了のメッセージの表示を表示制御部２０７に指示する。表示制御部２０７は、データ追加完了のメッセージを表示部２０６に表示させて、操作者にデータ追加完了を通知する。
【０１１７】
次に、図８を参照して、データ取得処理の流れについて説明する。図８は、データ取得処理のシーケンス図である。
【０１１８】
操作者は、ドアホン親機１３の表示部３０６を用いてデータ取得指示をドアホン親機１３に入力する（ステップＳ３０１）。
【０１１９】
ドアホン親機１３のデータ読出部３０９は、表示制御部３０７を介してデータ取得指示の入力を受ける。データ読出部３０９は、固有ＵＲＬを記憶部３０４から取得する。そして、データ読出部３０９は、固有ＵＲＬを用いた認証要求をサーバ１０の認証部１０８へ送信する（ステップＳ３０２）。
【０１２０】
サーバ１０の認証部１０８は、固有ＵＲＬを用いた認証要求をデータ読出部３０９から受信する。そして、認証部１０８は、受信した固有ＵＲＬに対応する機器リストを記憶部１０６から取得する。次に、認証部１０８は、取得した機器リストを検索し、ドアホン親機１３の識別情報が登録されているか否かを判定する（ステップＳ３０３）。ここでは、機器リストにドアホン親機１３の識別情報が登録されている場合で説明する。
【０１２１】
認証部１０８は、認証成功通知をドアホン親機１３のデータ読出部３０９へ送信する（ステップＳ３０４）。
【０１２２】
ドアホン親機１３のデータ読出部３０９は、認証成功通知を受信すると、固有ＵＲＬとともにデータ一覧の送信要求をサーバ１０の一覧生成部１０７へ送信する（ステップＳ２０５）。
【０１２３】
サーバ１０の一覧生成部１０７は、固有ＵＲＬとともにデータ一覧の送信要求をデータ読出部３０９から受信する。そして、一覧生成部１０７は、固有ＵＲＬで示されるデータ格納部１０４の格納領域に格納されているデータのデータ一覧を生成する（ステップＳ３０６）。次に、一覧生成部１０７は、生成したデータ一覧をドアホン親機１３のデータ読出部３０９へ送信する（ステップＳ３０７）。
【０１２４】
ドアホン親機１３のデータ読出部３０９は、データ一覧を一覧生成部１０７から受信する。そして、データ読出部３０９は、登録された各データを選択可能に表示したデータ一覧の表示を表示制御部３０７に指示する。表示制御部３０７は、登録された各データが選択可能な状態で表示されたデータ一覧を表示部３０６に表示させる（ステップＳ３０８）。
【０１２５】
操作者は、表示部３０６に表示されたデータ一覧の中から取得データを選択する（ステップＳ３０９）。
【０１２６】
ドアホン親機１３のデータ読出部３０９は、表示制御部３０７を介して選択された取得データの情報の入力を受ける。そして、データ読出部３０９は、取得データの送信要求をサーバ１０のデータ格納部１０４へ送信する（ステップＳ３１０）。
【０１２７】
サーバ１０のデータ格納部１０４は、データ読出部３０９から受信した送信要求で指示された取得データを読み出す（ステップＳ３１１）。そして、データ格納部１０４は、読み出した取得データをドアホン親機１３のデータ読出部３０９へ送信する（ステップＳ３１２）。
【０１２８】
ドアホン親機１３のデータ読出部３０９は、取得データをデータ格納部１０４から受信する。そして、データ読出部３０９は、取得データの表示を表示制御部３０７に指示する。表示制御部３０７は、取得データを表示部３０６に表示させる（ステップＳ３１３）。
【０１２９】
次に、図９を参照して、ペアリング機器の定期的な更新処理の流れについて説明する。図９は、ペアリング機器の定期的な更新処理のシーケンス図である。
【０１３０】
ドアホン親機１３の追加機器検出部３１０は、ペアリング機器の情報の更新タイミングの到来を検知する（ステップＳ４０１）。
【０１３１】
ペアリング機器の情報の更新タイミングが到来すると、固有ＵＲＬを記憶部３０４から取得する。そして、追加機器検出部３１０は、固有ＵＲＬを用いた認証要求をサーバ１０の認証部１０８へ送信する（ステップＳ４０２）。
【０１３２】
サーバ１０の認証部１０８は、固有ＵＲＬを用いた認証要求を追加機器検出部３１０から受信する。そして、認証部１０８は、受信した固有ＵＲＬに対応する機器リストを記憶部１０６から取得する。次に、認証部１０８は、取得した機器リストを検索し、ドアホン親機１３の識別情報が登録されているか否かを判定する（ステップＳ４０３）。ここでは、機器リストにドアホン親機１３の識別情報が登録されている場合で説明する。
【０１３３】
認証部１０８は、認証成功通知をドアホン親機１３の追加機器検出部３１０へ送信する（ステップＳ４０４）。
【０１３４】
ドアホン親機１３の追加機器検出部３１０は、認証成功通知を受信すると、機器リストの取得要求を固有ＵＲＬとともにサーバ１０の機器リスト管理部１０３へ送信する（ステップＳ４０５）。
【０１３５】
サーバ１０の機器リスト管理部１０３は、固有ＵＲＬとともに機器リストの取得要求を追加機器検出部３１０から受信する。そして、機器リスト管理部１０３は、受信した固有ＵＲＬに対応する機器リストを記憶部１０６から取得する（ステップＳ４０６）。そして、機器リスト管理部１０３は、取得した機器リストをドアホン親機１３の追加機器検出部３１０へ送信する（ステップＳ４０７）。
【０１３６】
ドアホン親機１３の追加機器検出部３１０は、機器リストを機器リスト管理部１０３から受信する。そして、追加機器検出部３１０は、前回取得した機器リストと今回取得した機器リストとを比較する（ステップＳ４０８）。
【０１３７】
機器リストに新たに追加された機器がある場合、追加機器検出部３１０は、ペアリング機器更新の通知を表示制御部３０７に指示する。表示制御部３０７は、追加機器検出部３１０からの指示を受けて、ペアリング機器更新通知を表示部３０６へ表示させ、操作者にペアリング機器更新を通知する（ステップＳ４０９）。
【０１３８】
さらに、追加機器検出部３１０は、固有ＵＲＬとともにデータ一覧の送信要求をサーバ１０の一覧生成部１０７へ送信する（ステップＳ４１０）。
【０１３９】
サーバ１０の一覧生成部１０７は、固有ＵＲＬとともにデータ一覧の送信要求を追加機器検出部３１０から受信する。そして、一覧生成部１０７は、固有ＵＲＬで示されるデータ格納部１０４の格納領域に格納されているデータのデータ一覧を生成する（ステップＳ４１１）。次に、一覧生成部１０７は、生成したデータ一覧をドアホン親機１３の追加機器検出部３１０へ送信する（ステップＳ４１２）。
【０１４０】
ドアホン親機１３の追加機器検出部３１０は、データ一覧を一覧生成部１０７から受信する。そして、追加機器検出部３１０は、前回取得したデータ一覧と今回取得したデータ一覧とを比較する（ステップＳ４１３）。
【０１４１】
新たに追加されたデータがある場合、追加機器検出部３１０は、データの更新の通知を表示制御部３０７に指示する。表示制御部３０７は、追加機器検出部３１０からの指示を受けて、データの更新の通知を表示部３０６へ表示させ、操作者にデータ更新を通知する（ステップＳ４１４）。
【０１４２】
以上の説明では、ドアホン親機１３と端末装置２０という２つの端末装置をペアリングして、その間でデータ共有を行う場合で説明したが、ペアリングの台数は３つ以上であってもよい。また、ペアリングのグループは複数あってもよいし、１つの端末装置が複数のペアリンググループに属してもよい。
【０１４３】
あるペアリンググループに他の端末装置を追加する場合は、以下のような処理を行う。そのペアリンググループに属する端末装置にそのペアリンググループに対応する認証用画像を表示させる。そして、その表示された認証用画像を追加する端末装置で撮影し、ペアリングを行うことで、そのペアリンググループに新たな端末装置を追加することができる。また、既にペアリンググループに属する端末装置を含む他のペアリンググループを作成する場合、その端末装置に新たに認証用画像を生成させればよい。
【０１４４】
また、本実施例では、認証用画像をその認証用画像に対応するペアリンググループに属する各端末装置が保持する構成で説明したが、構成はこれに限らない。例えば、サーバ１０が認証用画像を有し、各端末装置は、認証用画像を用いる場合、固有ＵＲＬを用いてサーバ１０から認証用画像を取得する構成としてもよい。
【０１４５】
［第１の実施形態の効果］
以上に説明したように、本実施形態に係るドアホンシステムは、一方の端末装置で、認証用画像を生成し、生成した認証用画像を表示させて、その表示された認証用画像を他方の端末装置で撮影して取得する。そして、認証用画像に対応するデータの格納位置を示すＵＲＬを一意の固有情報として発行し、その発行された固有情報を用いて認証を行う。
【０１４６】
このように、本実施形態に係るドアホンシステムでは、単に表示された画像を撮影するだけで端末同士のペアリングを行うことができる。また、認証用の情報としてデータの格納位置が用いられるため、ネットワークやアカウントの設定を行わなくても、データの共有を容易に行うことができる。すなわち、本実施例に係るドアホンシステムを用いることで、アカウントやパスワードを用いずに容易にデータ共有サービスを利用することができる。
【０１４７】
そして、ドアホン装置と端末装置とをペアリングすることで、ドアホン装置で撮影された来客の画像をデータ格納部に格納すれば、端末装置から来客を確認することができる。また、端末装置で撮影した画像などをドアホン親機で確認することができる。
【０１４８】
ここで、以上では、端末装置２０が認証用画像を生成して、ドアホン親機１３が認証用画像を撮影してペアリングを行う場合で説明したが、役割が逆であってもよい。また、端末装置２０がデータの読み出しや定期的なペアリング機器のチェックを行ってもよく、ドアホン親機１３がデータの書き込みを行ってもよい。すなわち、端末装置２０とドアホン親機１３は、いずれも同様の機能を有してもよい。
【０１４９】
ここで、以上の各実施形態では、ドアホンシステムを例に説明したが、少なくとも一方に撮影装置が搭載された端末装置の組であれば、上述した情報処理システムを適用することができる。端末装置としては、例えば、スマートフォン、携帯電話、パーソナルコンピュータなどを用いることができる。また、撮影装置を備えない端末装置の場合、ペアリング処理においては、第１の実施形態で説明した端末装置２０側の機能を有する。
【０１５０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１５１】
１  ドアホンシステム
２  住宅
１０  サーバ
１１  インターネット
１２  ホームゲートウェイ
１３  ドアホン親機
１４  ドアホン子機
２０  端末装置
１０１  画像取得部
１０２  固有情報生成部
１０３  機器リスト管理部
１０４  データ格納部
１０５  ペアリング部
１０６  記憶部
１０７  一覧生成部
１０８  認証部
１３１  モニタ
１３２  応答ボタン
１４１  呼出ボタン
２０１，３０１  撮影部
２０２，３０２  画像送信部
２０３，３０３  画像生成部
２０４，３０４  記憶部
２０５，３０５  固有情報取得部
２０６，３０６  表示部
２０７，３０７  表示制御部
２０８，３０８  データ書込部
２０９，３０９  データ読出部
２１０，３１０  追加機器検出部
３１１  音声出力部
３１２  音声制御部
【図１】
2017175224.tif 000003
【図２】
2017175224.tif 000004
【図３】
2017175224.tif 000005
【図４】
2017175224.tif 000006
【図５】
2017175224.tif 000007
【図６】
2017175224.tif 000008
【図７】
2017175224.tif 000009
【図８】
2017175224.tif 000010
【図９】
2017175224.tif 000011